(57)【要約】【課題】  高さ方向の寸法および水平方向の寸法を共に短くして、持ち運びや収納に便利であるようにすると共に、手指に大きな力をかけても痛みを感じることがなく操作性が良く、しかも指先を傷付けてしまうようなことはなく安全性に優れたドライバーを提供する。【解決手段】  使用者の手の平に収まる程度の大きさとした把持部１の前端に軸部２を突設したドライバーであって、前記把持部１を略円筒胴形状とし、把持部１の径を通常寸法の手持ちドライバーの把持部と略同一径とし、把持部１の厚みを使用者の手の指の腹に収まる程度の寸法とし、さらに前記軸部２を把持部１の前端に把持部１の厚みと略同一寸法突出したものとしている。【選択図】    図１
2006159364.tif 000002
【特許請求の範囲】
【請求項１】
使用者の手の平に収まる程度の大きさとした把持部（１）の前端に軸部（２）を突設したドライバーであって、前記把持部（１）を略円筒胴形状とし、把持部（１）の径を通常寸法の手持ちドライバーの把持部と略同一径とし、把持部（１）の厚みを使用者の手の指の腹に収まる程度の寸法とし、さらに前記軸部（２）を把持部（１）の前端に把持部（１）の厚みと略同一寸法突出したことを特徴とするドライバー。
【請求項２】
前記把持部（１）の外側部の周方向に装着溝（７）を形成し、この装着溝（７）に滑り止めリング（８）をその一部が露出するようにして装着したことを特徴とする請求項１記載のドライバー。
【請求項３】
前記把持部（１）の外側部の厚さ方向に適宜間隔をおいて指掛け用の窪部（９）を複数個形成したことを特徴とする請求項１または２記載のドライバー。
【発明の詳細な説明】
【技術分野】
【０００１】
この発明は、狭い作業空間、例えば使用者の腕が差し込める程度の狭い作業空間においても使用することのできるドライバーに関するものである。
【背景技術】
【０００２】
従来、通常寸法の手持ちドライバーとしては、例えば、図５に示したような、繋ぎ止め具１１に連結されたドライバー１２が存在する。このドライバー１２は、略円筒胴形状とした把持部１３に軸部１４を突設したものとしており、把持部１３の直径を約２〜３ｃｍ、長さを約８〜１０ｃｍ、軸部１４の直径を約０．３〜０．５ｃｍ、長さを約８〜１２ｃｍとしている（特許文献１）。
【０００３】
また、従来、狭い作業空間において使用することのできるドライバーとしては、例えば、図６に示したように、クランク状としたシャフト１５の一端に十字頭１５ａを設けると共に、この十字頭１５ａと相対的に４５度捻った十字頭１５ｂを前記シャフト１５のもう一端に設けたものが存在する（特許文献２）。
【０００４】
このように構成したドライバーは、高さ方向に制限のある直角コーナ部に捩じ込まれた十字穴付きネジを締めたり緩めたりする場合に、ドライバーの旋回角度を大きくできるようにして、効率良く締め付けたり緩めたりすることができるようになり、その締め付けたり緩めたりする手間を軽減できるという効果を有するものとしている。
【０００５】
さらに、上記したようなドライバーとしては、例えば、図７、８に示したように、先端部に取付ビスのビス頭部に嵌合する嵌合部２０ａを有し、後端部に小径の取付部２０ｂを有する細長のドライバ本体部２０と、取付部２０ｂの根元部に設けられたストッパ２１と、取付部２０ｂの後端側が突出するように取付部２０ｂに嵌入されて取付部２０ｂと共回り可能に取り付けられたつば付ナット２３と、取付部２０ｂに遊嵌されてストッパ２１とつば付ナット２３との間に回転可能に取り付けられ、取付部２０ｂの径方向外方に突出する把持部２２ｂを有する支持板２２を備えたものが存在する（特許文献３）。
【０００６】
このように構成したドライバーは、狭い作業空間での取付ビスの取り付け、あるいは取り外しが簡易にでき作業性を向上させることができるとともに作業時間を短縮できるという効果を有するものとしている。
【特許文献１】特開２００１−２７７１４４号公報（第２頁、図１）
【特許文献２】特開２００１−９７４５号公報（第２、３頁、図１）
【特許文献３】特開平８−１０８３７４号公報（第２、４頁、図１、３）
【発明の開示】
【発明が解決しようとする課題】
【０００７】
しかしながら、上記図６に示したドライバーにおいては、高さ方向の寸法は短いものの、水平方向の寸法が非常に長いので、持ち運びや収納に不便であるという問題点を有していた。また、この従来のドライバーを操作するには、捩じ込まれたネジの十字穴に一方の十字頭を嵌め込み、他方の十字頭を手指で直に掴んで回すようにしているため、この操作中に十字頭を掴んだ手指に大きな力をかけると痛みを感じて操作がし難く、操作性に欠けるという問題点や、十字頭の先端に指先が当たって、指先を傷付けてしまうなどの安全性に欠けるという問題点を有していた。
【０００８】
さらに、上記図７、８に示したドライバーにおいては、取付ビスの取り付け、あるいは取り外しを行うには、先ずドライバ本体部２０の嵌合部２０ａを取付ビスのビス頭部の十字溝に嵌合させる。そして、把持部２２ｂを手で持ってドライバ本体部２０の嵌合部２０ａを取付ビスに押し付けるようにして、その状態を維持させつつ、スパナやラッチエットをつば付きナット２３に係合させて回すようにしている。そのため、前記スパナやラッチエットを別に容易しなければならず、面倒であるという問題点を有していた。また、この従来のドライバーは、前記したように把持部２２ｂを手で持ってドライバ本体部２０の嵌合部２０ａを取付ビスに押し付けるようにするが、この操作が面倒であり操作性に欠けるという問題点を有していた。
【０００９】
そこで、この発明は、上記従来の問題点を解消するものであり、高さ方向の寸法および水平方向の寸法を共に短くして、持ち運びや収納に便利であるようにすると共に、手指に大きな力をかけても痛みを感じることがなく操作性が良く、しかも指先を傷付けてしまうようなことはなく安全性に優れたドライバーを提供することを目的としてなされたものである。
【課題を解決するための手段】
【００１０】
そのため、この発明は、使用者の手の平に収まる程度の大きさとした把持部１の前端に軸部２を突設したドライバーであって、前記把持部１を略円筒胴形状とし、把持部１の径を通常寸法の手持ちドライバーの把持部と略同一径とし、把持部１の厚みを使用者の手の指の腹に収まる程度の寸法とし、さらに前記軸部２を把持部１の前端に把持部１の厚みと略同一寸法突出したものとしている。
【００１１】
そして、この発明のドライバーは、前記把持部１の外側部の周方向に装着溝７を形成し、この装着溝７に滑り止めリング８をその一部が露出するようにして装着したものとしている。
【００１２】
さらに、この発明のドライバーは、前記把持部１の外側部の厚さ方向に適宜間隔をおいて指掛け用の窪部９を複数個形成したものとしている。
【発明の効果】
【００１３】
この発明のドライバーは、以上に述べたように構成されているので、高さ方向の寸法および水平方向の寸法を共に短くしたので、持ち運びや収納に便利なものとなり、また手指に大きな力をかけても痛みを感じることがなく操作性が良く、しかも指先を傷付けてしまうようなことはなく安全性に優れたものとなる。
【発明を実施するための最良の形態】
【００１４】
以下、この発明のドライバーの実施の形態を、図面に基づいて詳細に説明する。
【００１５】
図１〜３は、この発明のドライバーの一実施形態を示しており、使用者の手の平に収まる程度の大きさとした把持部１の前端に軸部２を突設したものとしている。
【００１６】
前記把持部１は略円筒胴形状としており、この把持部１の径を通常寸法の手持ちドライバーの把持部と略同一径、すなわち約２〜３ｃｍとしており、把持部１の厚みを使用者の手の指の腹に収まる程度の寸法、すなわち約１〜２ｃｍとしている。そのため、この発明のドライバーは、嵩が非常に低いものとなり、持ち運びや収納に便利なものとなる。
【００１７】
そして、前記把持部１の前端側には、抜止め手段３を有した差込み穴４を設けたものとしており、この差込み穴４に前記軸部２を着脱自在に取り付けたものとしている。抜止め手段３は、差込み穴４に連通する空室５にＣ型のバネリング６の押圧力が作用するようにして収容したボールＢの一部をその空室５から差込み穴４に突出したものとしている。
【００１８】
前記軸部２は、ビット軸としており、把持部１の径と略同一寸法、すなわち約２〜３ｃｍとしており、把持部１の前端に把持部１の厚みと略同一寸法、すなわち約１〜２ｃｍ突出したものとしている。また、この軸部２は、図示したものでは、一端にプラスの頭部を有し、他端にマイナスの頭部を有した両頭ビットとしているが、一端にのみプラスまたはマイナスのビット頭を有した片頭ビットとしてもよい。
【００１９】
さらに、前記把持部１の外側部には、周方向に装着溝７を形成し、この装着溝７に滑り止めリング８をその一部が露出するようにして装着したものとしている。滑り止めリング８は、断面を円形としたＯ−リングとしており、ゴムや軟質合成樹脂から作製されたものとしている。
【００２０】
また、前記把持部１の外側部には、厚さ方向に適宜間隔をおいて指掛け用の窪部９を複数個形成したものとしている。この窪部９は、凹曲面状に窪ませたものとしており、図示したものでは等間隔をおいて６個所に設けたものとしているが、６個所より多くしても少なくしてもよい。
【００２１】
次に、上記したように構成されたこの発明のドライバーの使用状態について、以下に述べる。
【００２２】
先ず、この発明のドライバーの把持部１の後端から、使用者の親指、人差指、中指の三本の指、または使用者の親指、人差指、中指、薬指の四本の指を、把持部１の外側部に形成した指掛け用の窪部９のいずれかにそれぞれ位置させる。そして、それぞれの指で、把持部１の装着溝７に装着した滑り止めリング８の露出部を掴むと共に、それぞれの指を前記窪部９に押し付ける。すると、この発明のドライバーを、図４に示したような状態で把持することができる。
【００２３】
そこで、例えば使用者の腕が差し込める程度の狭い作業空間の壁面などにネジを捩じ込んだり、その壁面などに捩じ込まれたネジを外すには、図４に示した状態で把持したこの発明のドライバーを、使用者の腕ごと狭い作業空間に差し込む。そして、前記ネジのネジ溝に軸部２の頭部を差し込んで、ドライバーを把持した三本の指、または四本の指でこの把持部１を回転操作すれば、軸部２が回転して、ネジを捩じ込んだり、外したりすることができる。
【００２４】
この場合、使用者は、三本の指、または四本の指で滑り止めリング８の露出部を掴むと共に、それぞれの指を前記窪部９に押し付けるようにしているので、滑ることがなく、また指に大きな力をかけても痛みを感じることがなく、非常に操作性が良いものなる。さらに、滑り止めリング８や窪部９には、角がないので指先を傷付けてしまうようなこともない。
【図面の簡単な説明】
【００２５】
【図１】この発明のドライバーの一実施形態を示す斜視図である。
【図２】図１に示すこの発明のドライバーの分解斜視図である。
【図３】図１に示すこの発明のドライバーの断面図である。
【図４】図１に示すこの発明のドライバーを把持した状態の説明図である。
【図５】従来のドライバーの一例を示す斜視図である。
【図６】従来のドライバーの他の例を示す斜視図である。
【図７】従来のドライバーのさらに他の例を示す側面図である。
【図８】図７に示す従来のドライバーの分解斜視図である。
【符号の説明】
【００２６】
１  把持部
２  軸部
３  抜止め手段
４  差込み穴
７  装着溝
８  滑り止めリング
９  窪部
【図１】
2006159364.tif 000003
【図２】
2006159364.tif 000004
【図３】
2006159364.tif 000005
【図４】
2006159364.tif 000006
【図５】
2006159364.tif 000007
【図６】
2006159364.tif 000008
【図７】
2006159364.tif 000009
【図８】
2006159364.tif 000010